(57)【要約】      （修正有）【課題】時間の単位分数の数またはモバイル部材の移動の単位分数の数を数えるための、簡単且つ信頼できる装置を提供する。【解決手段】時間の単位分数の数またはモバイル部材の移動の単位分数の数を数える装置１００であって、第１表面を有する第１カム１と、当接面である、第２表面と、ばねにより付勢される、モバイル支持部４と、支持部４に設置され、ばねにより第１表面に向けて付勢されるモバイル爪３であって、支持部４の位置に応じて第１及び第２表面の一方または他方と協働するよう適合される爪３と、制御システムの第１非計数状態において、支持部４を第１位置に維持し、制御システムの第２計数状態において、支持部４の移動を許可する、制御システム８０と、を含む、装置１００。【選択図】図２
2017151089.tif 000002
【特許請求の範囲】
【請求項１】
時間の単位分数の数またはモバイル部材（１；６；Ａ２）の移動の単位分数の数を数える装置（１００）であって、
第１表面（１０）を有する第１カム（１）と、
当接面である、第２表面（２０）と、
ばね（Ｒ４）により付勢される、モバイル支持部（４）と、
前記支持部（４）に設置され、ばね（Ｒ３）により第１表面に向けて付勢されるモバイル爪（３）であって、前記支持部（４）の位置に応じて前記第１及び第２表面（１０、２０）の一方または他方と協働するよう適合される爪（３）と、
制御システムの第１非計数状態において、前記支持部を第１位置に維持し、前記制御システムの第２計数状態において、前記支持部の移動を許可する、制御システム（８０）と、
を含む、装置（１００）。
【請求項２】
前記カム（１）の前記第１表面（１０）は、前記制御システムの前記計数状態において爪（３）と協働するよう適合される、ｎ個の第１窪み（１０ａ）を含む、
請求項１に記載の装置。
【請求項３】
前記制御システムの前記計数状態において爪（３）と協働、とりわけ接触により協働するよう適合されるｍ個の第２窪み（２０ａ）を含む、第２カム（２）、とりわけ枠（９９）に対して固定される第２カム（２）を含む、
請求項１または２に記載の装置。
【請求項４】
前記第２カム（２）は、歯列（２）、特に歯付き部分（２）を含み、その歯は第２窪み（２０ａ）を定義する、
請求項３に記載の装置。
【請求項５】
前記第１カム（１）及び前記歯列（２）は同軸であり、及びまたは前記第１表面（１０）は前記第１カムの外表面（１０）であって、前記第１表面（１０）の半径は前記歯列（２）の全体外側半径以上であり、及びまたは前記第１表面（１０）は前記第１カムの内表面であって、前記第１表面の内側半径は前記歯列の全体内側半径以下である、
請求項４に記載の装置。
【請求項６】
前記第１窪み（１０ａ）は、前記制御システムの前記計数状態において、前記モバイル支持部（４）の不動化を、とりわけ前記爪（３）の、第１窪み（１０ａ）と整列した第２窪み（２０ａ）との接触による協働により、許可するよう適合される、
請求項１から５のいずれか一項に記載の装置。
【請求項７】
前記第１カム（１）は、枠（９９）上を旋回する車（１）である、
請求項１から６のいずれか一項に記載の装置。
【請求項８】
前記モバイル支持部（４）は、枠（９９）上を、とりわけ前記第１カム（１）と同軸に、旋回する、
請求項１から７のいずれか一項に記載の装置。
【請求項９】
前記カム（２）は、前記第２表面（２０）を含み、前記第２表面は例えば円形または実質的に円形である、
請求項１から８のいずれか一項に記載の装置。
【請求項１０】
前記第１表面（１０）及び前記第２表面（２０）は同軸であり、及びまたは前記第１表面（１０）は前記第１カムの外表面（１０）であって、前記第１表面（１０）の半径は前記第２表面（２０）の外側半径以下であり、及びまたは前記第１表面は前記第１カムの内表面であって、前記第１表面の内側半径は前記第２表面の内側半径より大きい、
請求項１から９のいずれか一項に記載の装置。
【請求項１１】
第１窪み（１０ａ）に対する角度は、前記歯列（２）のピッチにより定義される第２窪み（２０ａ）に対する角度以上である、
請求項１から１０のいずれか一項に記載の装置。
【請求項１２】
前記制御システムは、レバー（１４）と制御部材（８）、とりわけコラムホイールのようにバイナリ輪郭（８０ｂ）を有する制御部材とを含み、前記レバー及び前記制御部材は、前記レバーが、前記爪（３）が前記第２表面（２０）と協働する、前記支持部（４）の所定の位置に対応する、前記第１非計数状態と、前記爪（３）が前記第１または前記第２窪みの一つと障害的に協働し、前記支持部（４）のあらゆる位置を許可する、前記第２計数状態とにあるよう、互いに協働するよう適合される、
請求項１から１１のいずれか一項に記載の装置。
【請求項１３】
前記支持部に運動学的に連結される表示部材（７、Ａ１）を含み、前記支持部は例えば前記表示部材の第２歯付きセクタ（７０）と噛合する第１歯付きセクタ（４０）を含み、前記表示部材は例えば周縁と協働するポインタを含む、
請求項１から１２のいずれか一項に記載の装置。
【請求項１４】
請求項１から１３のいずれか一項に記載の装置（１００）を含む、時計ムーブメント（１１０）。
【請求項１５】
請求項１から１３のいずれか一項に記載の装置（１００）または請求項１４に記載の時計ムーブメント（１１０）を含む、時計（１２０）、特に腕時計。
【発明の詳細な説明】
【技術分野】
【０００１】
本発明は、時間の単位分数の数または部材の移動の単位分数の数を数える装置に関する。本発明はまた、当該種類の装置を含む、時計ムーブメントに関する。本発明は更に、当該種類の装置を含む、または当該種類のムーブメントを含む、時計、とりわけ腕時計に関する。本発明は最後に、当該種類の装置、当該種類のムーブメント、または当該種類の時計の、稼働方法に関する。
【０００２】
特許文献１は、クロノグラフを停止したときのみに、高精度な時間の１秒の分数を表示可能な装置に関する。当該システムは、２．５Ｈｚで動作する振動子と、所定の速度で旋回するギヤに固着される星形渦巻きカムとを用いる。特許文献１で説明される実施形態において、渦巻きカムは、１０秒毎に１回転の速度で旋回し、それぞれが５個の段を有する１０本の腕を有する。このため、１本の腕は、１秒で完成する角移動に対応し、その１段の角移動は５分の１秒に対応する。時間情報は、秒の分数を表示する部材と相互係合し、渦巻きの複数の腕のうちの１本上の段の１つと接触可能な旋回ラックを用いて表示される。クロノグラフが停止されると、ラックのフォロワは、渦巻きの複数の腕のうちの１本と接触するよう付勢され、それにより段の１つに位置され、時間情報を表示する。秒の分数の表示の正確性は、渦巻きカムの各腕の段の数により決定され、段の数はてんぷの振動数の関数として選択されなければならない。例えば、１０分の１秒の表示で、５Ｈｚで動作する振動子の場合、特許文献によれば、渦巻きカムの複数の腕はそれぞれ１０個の段を有することができることを教示する。この種類の構成は、この種類のカムの形状の複雑さ、必要とされる製造と組立の正確性、及びとりわけ５Ｈｚで動作する振動子の性能を劣化しやすい慣性とを鑑みると、最適ではない。
【０００３】
特許文献２は、上述の文献と類似の機構を開示する。要求に応じた５分の１秒の表示は、ここでもまた単一の渦巻きカムによって提供され、ここで渦巻きカムはそれぞれ１０個の段を有する６本の腕で区別される。このため、渦巻きカムは２．５Ｈｚで動作する振動子により６秒毎に１旋回の速度で回転される。ここでもまた、時間情報は、秒の分数を表示する部材と相互係合し、渦巻きの複数の腕のうちの１本上の段の１つに付勢され接触可能な旋回ラックを用いて表示される。
【０００４】
特許文献３は、同一の原理に基づく１０００分の１秒の表示器を開示する。要求に応じた１０００分の１秒の表示は、ここでもまた、１００分の１秒のカウンターに運動学的に連結された単一の渦巻きカムにより提供される。当該実施形態において、渦巻きカムは、それぞれ１０個の段を有する１０本の腕を有する。ここでもまた、時間情報は、秒の分数を表示する部材と相互係合し、渦巻きの複数の腕のうちの１本上の段の１つに付勢され接触可能な旋回ラックを用いて表示される。
【０００５】
この種類の装置は、時間情報または時間から派生する情報を伝えるギヤトレーンと運動学的に連結されるカムと協働するよう適合される表示部材と、相互係合するレバーにより実施される。この種類の製造は、例えば基本ムーブメントの仕上げシステムの秒車を用いて、またはクロノグラフ機構のカウントホイールを用いて情報が伝達される、秒の分数を表示する装置の文脈において、とりわけギヤトレーンと表示部材間に高い分周比が存在すると、問題がないわけではない。この状況において、カムは非常に小さな寸法公差の、特に複雑な輪郭を有することもある。その寸法、特にその外径は、この種類の装置に与えられる体積に対して大きすぎることもある。特に４Ｈｚ以上の振動数で動作する振動子にとって、基本ムーブメントの測時性能を劣化させる慣性の危険性もある。
【０００６】
上記装置のそれぞれにおいて、レバー、とりわけレバーフォロワは、カムとの協働、とりわけカムとの接触による協働により、秒の分数を表示可能に適合される。このため、この種類の装置の第１または計数状態において、レバーフォロワは、カムと接触、とりわけカムの腕の１本と接触、特にカムの腕の段の１つと接触する。この種類の装置の第２または非計数状態において、レバーフォロワはカムと離れ、他の要素と協働することも意図されない。
【０００７】
上記装置のそれぞれにおいて、カムとの協働により秒の分数の表示を可能にするために設けられるレバー、とりわけレバーフォロワは、単一の旋回軸周りを旋回する。レバーに対して少なくとも１自由度を有するフォロワを含むレバーも存在する。更に詳細には、そのフォロワが少なくとも２つの旋回軸周りを回転するよう設置されるレバーが存在する。例えば、特許文献４は、レバーが回転運動可能であり、その角度位置がレバーと一体の戻りばねにより定義されるスパイラルカムフォロワがレバーに対して旋回される、この種類のレバーを開示する。当該フォロワは、スパイラルカムと協働するよう適合される。しかしながらフォロワは、レバーの回転ではなく、スパイラルカムの回転によりその回転軸周りを旋回させられる。
【先行技術文献】
【特許文献】
【０００８】
【特許文献１】欧州特許出願公開第１０２４４１６号明細書
【特許文献２】欧州特許出願公開第１４７５６８１号明細書
【特許文献３】スイス国特許出願公開第７０４７７５号明細書
【特許文献４】欧州特許出願公開第２７８４６０３号明細書
【発明の概要】
【発明が解決しようとする課題】
【０００９】
本発明の目的は、上述の不利益を解消し、既知の先行技術の計数装置を改善する、計数装置を提供することである。特に本発明は、時間の単位分数の数またはモバイル部材の移動の単位分数の数を数えるための、簡単且つ信頼できる装置を提案する。
【００１０】
本発明に係る計数装置は、請求項１に定義される。
【００１１】
計数装置の様々な実施形態は、従属請求項２から１３に定義される。
【００１２】
本発明に係るムーブメントは、請求項１４に定義される。
【００１３】
本発明に係る時計は、請求項１５に定義される。
【００１４】
添付の図面は、本発明に係る時計のいくつかの実施形態を、例示する。
【図面の簡単な説明】
【００１５】
【図１】図１は、本発明に係る計数装置の第１実施形態と、本発明に係る時計の第１実施形態を図示する。
【図２】図２は、本発明に係る計数装置の第１実施形態と、本発明に係る時計の第１実施形態を図示する。
【図３】図３は、本発明に係る計数装置の第１実施形態と、本発明に係る時計の第１実施形態を図示する。
【図４】図４は、本発明に係る計数装置の第１実施形態と、本発明に係る時計の第１実施形態を図示する。
【図５】図５は、本発明に係る計数装置の第１実施形態と、本発明に係る時計の第１実施形態を図示する。
【図６】図６は、本発明に係る計数装置の第１実施形態と、本発明に係る時計の第１実施形態を図示する。
【図７】図７は、本発明に係る計数装置の第１実施形態と、本発明に係る時計の第１実施形態を図示する。
【図８】図８は、本発明に係る計数装置の第１実施形態と、本発明に係る時計の第１実施形態を図示する。
【図９】図９は、本発明に係る計数装置の第１実施形態と、本発明に係る時計の第１実施形態を図示する。
【図１０】図１０は、本発明に係る計数装置の第２実施形態と、本発明に係る時計の第３実施形態を図示する。
【発明の詳細な説明】
【００１６】
時計１２０の第１実施形態を、図１から９を参照して以下に説明する。時計は、例えば腕時計である。時計は、本発明に係るムーブメント１１０の第１実施形態を含む。ムーブメントは、好ましくは機械式ムーブメントである。ムーブメントは好ましくは、記憶されたまたは高精度な時間情報を表示可能にできるモジュールを含む。モジュールは、例えば、クロノグラフモジュールである。表示した例では、モジュールは最も近い１０分の１秒まで時間情報を計数可能であり、最も近い１０分の１秒まで時間情報を表示可能に構成される。説明する例では、時間情報は、クロノグラフモジュールが高精度の時間を記憶する状態にあるとき、クロノグラフモジュールにより、最も近い１０分の１秒まで高精度化された時間である。
【００１７】
このため、ムーブメントは、時間の単位分数を計数する、またはモバイル部材の移動の単位分数を計数するための、装置１００の第１実施形態を含む。装置１００は、有利には、時間の単位分数またはモバイル部材の移動の単位分数を表示可能にする。
【００１８】
装置１００は、モバイル部材１、６、Ａ２の移動の単位分数の数を計数することで、時間の単位分数の計数を可能とする。説明する第１実施形態では、モバイル部材は、例えば、クロノグラフモジュールの秒モバイル６、または例えば第２針のように第２モバイルに追加された秒表示器Ａ２である。モバイル部材はまた、有利には、第２モバイルと噛合する部材１であってもよい。
【００１９】
第１実施形態において、部材は第１表面１０を有する第１カム１である。
【００２０】
計数装置は、当該第１カムを含む。計数装置はさらに以下のものを含む。
当接第２表面２０、
ばねＲ２により付勢されるモバイル支持部４、
支持部４に設置され、第１表面１０に向かいばねＲ３により付勢されるモバイル爪３であり、支持部４の位置に応じて第１及び第２表面１０、２０の一方か他方と協働するよう適合される爪３、
制御システムの第１または非計数状態において、支持部を第１位置に維持し、制御システムの第２または計数状態において、支持部の移動を可能とするよう適合される、制御システム８０。
【００２１】
時間情報の記憶を可能とするモジュールは、例えば、枠９９上の軸Ｃ１周りを旋回する秒車６を含む。表示器Ａ２、例えばポインタは、好ましくは当該秒車に固定される。表示器は、秒情報を表示するために、図示しない周縁と協働してもよい。
【００２２】
秒車６は、ギヤ５と噛合することを可能にする歯列を有する。当該ギヤ５は、第１カム１に固着または固定される。ギヤと第１カムは、枠９９上で軸Ｃ２周りを旋回可能である。モバイル支持部４もまた、枠９９上で軸Ｃ２周りを旋回する。モバイル支持部４は、このため、第１カム１と同軸に旋回する。しかしながら、支持部４は、ギヤ５と第１カム１と独立して、軸Ｃ２周りを回転可能である。支持部４は、ばねＲ４により、載置位置に向かい付勢される。
【００２３】
第２カム２は、枠に固定される。
【００２４】
爪は、支持部上で軸Ｃ５周りを旋回する。戻りばねＲ３は、爪を第１及び第２カムに対して付勢する。
【００２５】
支持部４は、枠９９上を軸Ｃ３周りに旋回する車またはラック７と噛合することを可能にする、歯列、とりわけ歯付きセクタを有する。表示器Ａ１、例えばポインタは、好ましくは当該車またはラックに固定される。表示器Ａ１は、好ましくは１０分の１秒情報を表示するため、周縁と協働する。
【００２６】
制御システム８０は、枠９９上を軸Ｃ４周りに旋回する制御部材８と、枠９９上を軸Ｃ６周りに旋回するレバー１４とを含む。レバー１４の第１端部は、支持部４と協働するよう適合され、レバー１４の第２端部１４ａは制御部材８と協働するよう適合される。制御システムはさらに、制御部材を割り出すための、制御レバー８１とジャンパ８２とを含む。
【００２７】
第１カム１は、第１カム表面１０を有する。当該第１表面は、全体的に円形の円筒形状である。しかしながら、当該表面は、装置、特に制御システムが、計数状態にあるときに、爪３と協働するよう適合されたｎ個の第１窪み１０ａを含む。第１窪みは、例えば、Ｕ字またはＶ字の断面を有する。
【００２８】
ｎ個の第１窪み１０ａは、有利には、第１表面１０上に規則的に分配される。
【００２９】
ｎ個の第１窪み１０ａは、計数状態において、窪みの１つが、第１カム１の第１表面１０の外側半径よりも小さな半径の位置で、爪のくちばしの位置決めを可能とするものである。このため、当該構造において、他の要素と協働することで、爪３はモバイル支持部４を不動化することを可能にする。
【００３０】
カム１の形状は特に単純であることが見て取れる。窪みまたは切欠き１０ａは、ここでは、ギヤ５とモバイル６の相対的な角度位置を決定するためのみに設けられている。カム１は、このため、特に小型化されており、工業的手段に準拠した許容差内での製造と組み付けが簡単である。第１カム１は、有利には、例えばＮｉ合金またはＮｉＰ合金から電鋳法により製造されてもよい。
【００３１】
ムーブメントの枠９９に対して不動である第２カム２は、例えば、ムーブメントの半加工品、例えばクロノグラフ受または板と、一体に製造されてもよい。
【００３２】
第２カム２自身は、装置または制御装置の計数状態において爪３と協働、とりわけ接触により協働するよう適合された、ｍ個の第２窪み２０ａを有する。第２カムのｍ個の第２窪み２０ａは、歯列２、特に歯付き部分２を構成してもよく、その歯は例えば三角または実質的に三角の輪郭を有してもよい。輪郭は、とりわけ非対称であり、急勾配の第１側面と、第１側面の傾斜と著しく異なる傾斜を有する第２側面を特徴とする。このため、輪郭は、例えばブレゲ歯輪郭であってもよい。
【００３３】
装置の計数状態において、爪は、第２窪みの１つと接触により協働するまで移動される。特に、当該協働は、好ましくは爪の、特に爪のくちばし３０の、第２窪みの急勾配の側面との接触により達成される。爪による第２窪みの１つとの接触の構成は、枠９９に対する支持部の特定の位置を決定する。
【００３４】
爪が協働する第２窪み２０ａは、第１窪み１０ａにより定義される。実際、第１窪み１０ａによって、爪が２つの窪みの一方または他方と協働することを可能にする。このため、第１窪み１０ａの形状は枠に対する支持部の正確な位置決めにはなんら関係せず、支持部の正確な位置決めは第２カム２の窪み２０ａの機能によって実現する。
【００３５】
第１カム１と第２カム２は、有利には同軸である。第１表面１０は、第１カムの外表面１０であってもよく、第１表面１０の半径Ｒ１０は、歯列２の全体外側半径Ｒ２０以上であってもよい。
【００３６】
代替的に、第１表面は、第１カムの内表面であってもよく、第１表面の内側半径は歯列の全体内側半径以下であってもよい。
【００３７】
更に、装置は第２当接面２０を含む。当該第２当接面２０は、有利には、第２カムの一部分である。装置の非計数状態において、爪、とりわけ爪のくちばし３０は、当該第２または当接面上に載置される。このため爪は、第１表面と、とりわけ第１窪みと協働することを阻止される。当接により、爪を第１窪みから離すことを可能にする。
【００３８】
第１カム１と第２表面２０は、好ましくは同軸である。第１表面１０は、第１カムの外表面でもよく、第１表面１０の半径Ｒ１０は、第２表面２０の外側半径Ｒ２００よりも小さくてもよい。代替的に、第１表面は第１カムの内表面であってもよく、第１表面の内側半径は第２表面の内側半径よりも大きくてもよい。
【００３９】
図示の第１実施形態において、ギヤ５とカム１は、１分間で１回転の速度で回転するモバイル６により、１分間で１２回転の速度で回転される。カム１は、第１カム１の外周１０に規則的に分配される５つの切欠き１０ａを有する。第２カム２は、２つの窪み２０ａを含む。このため図示の装置は、記憶された時計情報の１０分の１秒を計数し、表示することが可能である。
【００４０】
以下に説明するように、計数状態での支持部の不動化は、第２窪みと爪との協働により可能となる。爪と協働する第２窪みは、第２窪みに対向し、これにより爪の第２窪みとの協働を許可する第１窪みにより決定される。このため、第１窪み１０ａに対する角度は、第２窪み２０ａに対する角度以上であり、すなわち歯列２の１ピッチに対する角度以上である。
【００４１】
更に、歯列２に対する角度、すなわち全ての第２窪みに対する角度は、２つの連続する第１窪みの角度振幅と同一または実質的に同一である。
【００４２】
上述の通り、爪は、支持部上で軸Ｃ５周りを旋回し、ばねＲ３により載置位置に向けて付勢される。
【００４３】
変形実施形態において、爪は、ばね及びまたは支持部と一体に製造されてもよく、またはばね及びまたは支持部と合体してもよい。爪をその載置位置に付勢する力は、その場合、爪の弾性変形により生成される。
【００４４】
このため、装置の非計数状態において、爪３、特に爪３のくちばし３０は、第２当接面に対して付勢され、装置の計数状態において、爪３、特に爪３のくちばし３０は、第１カム１及び歯列２に対して付勢される。
【００４５】
爪のくちばし３０は、有利には、三角形または実質的に三角形の輪郭を有する。輪郭は、とりわけ非対称であり、急勾配の第１側面と、第１側面の傾斜と著しく異なる傾斜を有する第２側面を特徴とする。くちばしの急こう配の側面は、好ましくは、第２窪みの急勾配の側面と協働するよう適合される。また、好ましくは、くちばし３０の輪郭と第２窪みの輪郭は、相補形または実質的に相補形である。
【００４６】
装置１００は、運動学的に支持部に連結された表示部材７、Ａ１を含む。支持部は、例えば、表示部材の第２歯付きセクタ７０と噛合する第１歯付きセクタ４０を含む。表示部材は、例えば表示器Ａ１を含む。このため、枠に対する支持部の移動は、１０分の１秒の表示を可能にするため、枠に対する表示器Ａ１の移動を伴う。
【００４７】
表示器Ａ１は、例えば、周縁と協働する、１０分の１秒ポインタである。周縁は、第２モバイル６と相互係合する第２表示器Ａ２に付加されてもよい。
【００４８】
図２に示す装置の非計数状態において、表示器Ａ１は、好ましくは、何ら情報を表示しない。このため、ポインタＡ１は、例えば、１０分の１秒を表す周縁の外を指示してよい。
【００４９】
第２窪みは、有利には、１０分の１秒表示器Ａ１が、周縁上の１０分の１秒の表示に正確に対向するよう位置決めされるようにある。このため、説明する第１実施形態において、表示器Ａ１は、１０個の異なる位置のみを占拠可能である。第２窪みは、好ましくは、装置１００が、秒で表される全ての記憶された時間情報Ｔの１０分のＸ秒を表示するようにあり、以下の式で表される。
Ｙ＋Ｘ×０．１−０．０５≦Ｔ＜Ｙ＋Ｘ×０．１＋０．０５
ただしＸとＹは自然数の整数であり、Ｘ∈［０；９］であり、Ｙは情報Ｔの完全な秒の数である。
【００５０】
代替的に、第２窪みは、装置１００が秒で表される全ての記憶された時間情報Ｔの１０分のＸ秒を表示できるようにあり、以下の式で表される。
Ｙ＋Ｘ×０．１≦Ｔ＜Ｙ＋（Ｘ＋１）×０．１
ただしＸとＹは自然数の整数であり、Ｘ∈［０；９］であり、Ｙは情報Ｔの完全な秒の数である。
【００５１】
図４に示すように、制御システム８０は、レバー１４及び制御部材８、とりわけバイナリ輪郭８０ｂを含む制御部材、を含む。
【００５２】
制御部材は、例えば、コラムホイールである。制御システムは更に、コラムホイールの押しボタンＰと割出しジャンパ８２に接続される制御レバー８１を含む。コラムホイールは、コラムホイールのラチェット歯列８０ａに作用する制御レバー８１を介して押しボタンＰにより作動され、１角度ステップ駆動されるよう適合される。コラムホイール８と押しボタンＰは、好ましくは、クロノグラフモジュールの計数システムの開始と停止を作動するよう適合される。クロノグラフと計数装置１００は、このため、完全に同期して駆動可能である。
【００５３】
レバーと制御部材は、制御システムが、
爪３と第２表面２０とが協働し、とりわけ第２表面に載置される、支持部４の枠に対する所定の位置に対応する、第１または非計数状態と、
支持部４は枠に対してあらゆる位置にあってよく、爪３が第２窪みの１つと障害的に協働する、第２または計数状態と、
を有するよう、協働するように適合される。
【００５４】
このため、クロノグラフモジュールが停止したとき、すなわちモバイル５、６の回転が停止したとき、計数装置１００は制御システムにより始動される。制御システムは、有利には、クロノグラフモジュールと計数装置を同時に制御可能にする。
【００５５】
コラムホイールのバイナリ輪郭８０ｂは、レバー１４の状態または位置を定義可能にする。
【００５６】
計数装置１００が無効、即ち非計数状態にあると、レバー１４の第２端部１４ａまたはフォロワ１４ａは、コラムホイール８の輪郭８０ｂの柱の一つに押し当てられる。当該構成において、支持部４の側面４ｂは、レバー１４の第１端部１４ｂまたは頭部１４ｂに押し当てられる。当該頭部は、図２及び４から６に示す支持部の所定の位置を決定する。このため、レバー１４は、図５、６に図示される、ばねＲ４の戻りトルクにより生成されるであろう支持部の動きに対抗する。
【００５７】
計数装置１００が機能中、即ち計数状態にあると、レバー１４の第２端部１４ａまたはフォロワ１４ａは、もはやコラムホイール８の輪郭８０ｂの柱の一つに押し当てられない。当該構成において、レバーの頭部１４ｂは、図７から９に示すように、ばねＲ４の影響により、支持部４の側面４ｂにより退避される。
【００５８】
上述の装置１００の第１実施形態の稼働は、図６から９を参照して更に詳細に説明される。
【００５９】
装置は、最初、図６に示す構成、即ちクロノグラフモジュールが機能中であり、回転するクロノグラフポインタ、とりわけ秒ポインタＡ２によって、進展する時間情報を表示中であると仮定する。
【００６０】
図６は、押しボタンＰの作動直前の、装置１００を示す。当該構成において、爪３のくちばし３０は、第１カム１の外周１０に届かないよう、第２当接面２０に当接する。このため第１カム１は、クロノグラフ計数システム及びとりわけモバイル６の影響により、ギヤ５の速度で回転自由である。このため、クロノグラフ機構が始動されても、秒の分数表示装置は不作動である。
【００６１】
図７に示すように、押しボタン１の影響によるコラムホイール８の回転は、ばねＲ４の影響によるレバー１４及び支持部４の回転を引き起こす。実際、当該構成において、レバーの頭部１４ｂは、レバー１４、とりわけ端部１４ａがもはやコラムホイール８の柱８０ｂの１つに当接しないことから、退避可能である。また、支持部４は、ばねＲ４により、載置位置に向かい付勢される。コラムホイール８はまた、図６、７に図示されるクラッチ及びまたはブレーキ機構１５の影響により、モバイル５、６の回転を同時に停止させる。
【００６２】
支持部４が動くと、爪３のくちばし３０は、ばねＲ３の影響により、第２当接面２０を離れ、カム１の第１表面に当接するようになる。くちばしは、第１窪み１０ａに遭遇するまで第１表面上を動き、ばねＲ３により第１窪み１０ａ内に押される。窪み１０ａ及び２０ａは、窪み１０ａが単一の窪み２０ａのみに重ね合わされる大きさである。このため、図８に示すように、爪３のくちばし３０が窪み１０ａに対向するや否や、窪み２０ａに挿入され、窪み２０ａが枠に対して固定され、支持部を不動化する。
【００６３】
支持部が移動すると、１０分の１秒表示器Ａ１もまた、くちばし３０が挿入される第２窪み２０ａにより定義される位置に到達するまで動く。図９に示す当該状態において、装置１００は、最も近い１０分の１秒まで記憶されたまたは高精度な時間情報を表示する。図９の例において、装置は５５秒と１０分の６秒を表示している。
【００６４】
再度押しボタンＰを押すことで、コラムホイールを、図６に示す状態に位置させるように回転させる。コラムホイールは、レバー１４に作用して、レバー１４を図６に示す位置に再位置決めさせる。レバーの当該動きは、レバーの頭部の支持部に対する作用を引き起こし、支持部が戻りばねＲ４の作用に対向して図６の位置に再位置決めされる。当該ステップ中、爪のくちばし３０は、窪みから引き出され、第１表面の円柱部分に対抗して移動され、第２当接面と接触するよう位置決めされる。当該ステップ中、支持部の移動はまた、図６に示す位置へ戻る表示器Ａ１の移動を伴う。このように押しボタンを再度押すことにより、機構１５経由でクロノグラフモジュールを再始動できる。
【００６５】
クロノグラフモジュールが始動されると、爪３のくちばし３０に対する１つの第１窪み１０ａから他の連続する第１窪み１０ａへの通過は、１秒かかる。１０分の１秒の表示装置の起動により、爪３のくちばし３０は、第１カム１の第１表面上の５つの窪み１０ａのうちの１つの存在により、第２窪み２０ａのうちの１つに止まる。このため、装置１００は、それぞれが例えばラックを形成するモバイル支持部４に固定される爪を協働するよう適合される、２つの別個のカム１、２を含むという、特別の特徴を有する。
【００６６】
図示しない第２実施形態において、計数装置は第２窪みを全く含まない。戻りばねの作用で移動された支持部は、爪のくちばしと第１窪みとの協働により、特に爪のくちばしの、第１窪みの側面との接触による協働により、停止される。このような実施形態において、秒モバイルのブレーキトルクは、支持部の戻りばね及び爪の戻りばねにより生成されるトルクの克服に十分であることが重要である。更に、ギヤトレーン５、６の歯列のバックラッシュは、記憶された時間情報の表示状態での表示器Ａ１の拍を制限するために、最小化されてもよい。
【００６７】
上記のような実施形態において、１０分の１秒表示器Ａ１は、第１実施形態のように１０の規定の位置を取るだけではなく、周縁上のいかなる位置も、特に２つの時間表示間の位置も取ることができる。
【００６８】
上述の実施形態は、もちろん、要求に応じてあらゆる時間表示の分数や、記憶された時間から派生する表示の分数を表示するよう適合される、いかなるタイプの表示にも一般化可能である。特に、基本ムーブメントの振動子のために選択された振動数に応じて、この種類の装置１００は、例えば、１００分の１秒を表示可能である。
【００６９】
第１カム１の第１窪み１０ａの数ｊは、ギヤ５が回転する速度（１分当たりの回転数）ｖにより定められる。表示の精度（秒）ｐは、振動子の振動数（ヘルツ）ｆの関数として選択される、第２カム２の第２窪み２０ａの数ｉにより定められる。以下の表は、上述した第１実施形態（＊）を含む、いくつかの例を表示する。
【００７０】
【表１】
2017151089.tif 000003
【００７１】
第１実施形態において、爪３のくちばし３０は、第１及び第２カム１、２のそれぞれの高さに対応する、２つの別個の高さ間をずれる。図１０に示す第３実施形態において、カム１、２は同一平面である。このため、爪３は、支持部４上の旋回軸Ｃ５のそれぞれ反対側に２つの別個のくちばしを有する、旋回レバーの形状をとってもよい。爪のくちばしのそれぞれは、第１及び第２カム１、２の一方または他方と協働するよう特別に設計される。
【００７２】
爪３は、好ましくは支持部４と一体であり、支持部の残りと柔軟腕により接続される。
【００７３】
第１及び第３実施形態において、計数装置は、それぞれが同一の爪と協働するよう設計される２つの別個のカムを含む。第１カムは、時間情報を伝えるギヤトレーンに運動学的に連結され、第２カムは時計の枠に対して固定される。
【００７４】
上述の様々な実施形態において、第１カムは回転運動可能であり、車の形を有する。しかしながら、第１カムは、例えば並進など、他の運動可能でもよく、他の形を有してもよい。
【００７５】
装置は、モバイル部材の移動の単位分数の数を数えることで、時間の単位分数の数を数えることができる。特にモバイル部材が一定の速度で動くとき、２つの測定間の相関関係を仮定して、モバイル部材の移動の単位分数の数を数えることを、時間の単位分数の数を数えることと見做すことができる。
【００７６】
本願において、「分数」は、広義の数学的な意味であり、その結果、単位の分数は１よりも大きくてもよい。代替的に、単位の分数は、単位の一部であり、そのため１未満である。
【００７７】
本発明は更に、上述の計数装置１００の、または上述のムーブメント１１０の、または上述の時計１２０の、稼働方法に関する。
【００７８】
方法は、稼働の第１段階において、以下のステップを含む。
第１カム１を不動化し、
支持部４を不動化するレバー１４または当接を、所定の位置へ退避し、
支持部４を枠に対して、爪が第１窪み１０ａと当接する、例えば第１窪みの側面に当接または第２窪み２０ａの側面に当接するまで、第１所定位置から載置位置へ移動する。
【００７９】
方法は、稼働の第２段階において、以下のステップを含んでもよい。
レバー１４または当接へ作用して、支持部を第１所定位置へ戻す。
【００８０】
この作用は、装置へのユーザーの作用のエネルギー、とりわけユーザーが押しボタンを押すエネルギーにより達成されてもよい。
【００８１】
第１段階及びまたは第２段階は、有利には、制御システムへの作用、とりわけ押しボタンを押すことが引き金となる。
【符号の説明】
【００８２】
１    第１カム
２    第２カム
３    爪
４    モバイル支持部
７    表示部材
８    制御部材
１０  第１表面
１４  レバー
２０  第２表面
８０  制御システム
【図１】
2017151089.tif 000004
【図２】
2017151089.tif 000005
【図３】
2017151089.tif 000006
【図４】
2017151089.tif 000007
【図５】
2017151089.tif 000008
【図６】
2017151089.tif 000009
【図７】
2017151089.tif 000010
【図８】
2017151089.tif 000011
【図９】
2017151089.tif 000012
【図１０】
2017151089.tif 000013
【外国語明細書】
2017151089000001.pdf
2017151089000002.pdf
2017151089000003.pdf
2017151089000004.pdf